(57)【要約】【課題】  活性化能力、浄水能力が格段に向上された浄水カートリッジ、活水、浄水、整水の３機能を有する水処理装置を提供する。【解決手段】  浄水カートリッジは、水道水取込口と浄水吐出口とを有するハウジング内に、トルマリン、石英、長石、雲母を所定配合条件で配合して焼結してなるセラミックスボールの層と特殊不織布フィルター層と圧縮活性炭吸着ろ過層と圧縮活性炭マイクロろ過層とポリエチレンろ過層とをこの順序で水道水が通過するように配設し、通過した浄水を浄水吐出口から吐出させるようにした。水処理装置は、上記浄水カートリッジと整水ユニットからなり、整水ユニットはイオン隔壁で仕切られた２室に陽電極と陰電極を配設し、両電極を直流電源に接続してなる電解槽を有し、電解槽の底部に浄水カートリッジから吐出される浄水が供給され、１室の上部に設けた還元水注出口から還元水を注出するようにした。【選択図】      図１
2005313111.tif 000002
【特許請求の範囲】
【請求項１】
水道水取込口と浄水吐出口とを有するハウジング内に、少なくともトルマリン、石英、長石、雲母を配合したものを焼結してなるセラミックスボールの層と、特殊不織布フィルター層と、圧縮活性炭吸着ろ過層と、圧縮活性炭マイクロろ過層とポリエチレンろ過層とをこの順序で前記水道水取込口から取込まれた水道水が通過するように配設し、通過した浄水を前記浄水吐出口から吐出させるようにした浄水カートリッジ。
【請求項２】
ハウジングの底部に水道水取込口と浄水吐出口を設け、前記ハウジングの内側中央に上方に延びて、上端部が開口し、下端部が前記浄水吐出口に接続された導水管を設け、前記ハウジングの周壁と前記導水管の間に外側から内側に向かってセラミックスボール層、特殊不織布フィルター層と、圧縮活性炭吸着ろ過層と、圧縮活性炭マイクロろ過層とポリエチレンろ過層とをこの順序で同心円状に配設し、前記ポリエチレンろ過層を前記導水管から若干離間させて、その間に浄水流路を形成したことを特徴とする請求項１に記載の浄水カートリッジ。
【請求項３】
請求項１又は２に記載の浄水カートリッジとこれに接続された整水ユニットからなり、前記整水ユニットはイオン隔壁で仕切られた第１室と第２室のそれぞれに陽電極と陰電極を配設し、両電極を直流電源に接続してなる電解槽を有し、前記電解槽の底部に前記浄水カートリッジの浄水吐出口から吐出される浄水が供給され、前記第１室の上部には酸性水注出口が前記第２室の上部には還元水注出口が設けられていることを特徴とする水処理装置。
【発明の詳細な説明】
【技術分野】
【０００１】
本発明は、浄水カートリッジ及びこれを用いた水処理装置に関する。
【背景技術】
【０００２】
［水道水の現状］
人間の体の約７０％は水でできている。その水が人体に対して好ましくないものであったとしたら、大変なことになってしまう。特に血液の８３％は水分であり、残る１７％の血球や血小板なども７０％が水分でできている。血液は約９５％が水でできているといえる。また、脳もその８０％が水でできているので、悪い水を飲んでいれば、単に頭がすっきりしないというだけでなく、意思、感情、神経等、人間を形作る全てが狂ってくるといっても過言ではない。しかし、私たちが飲み続けている水道水の現状を見れば、水道水が決して「人体に対して好ましい水」であるとはいえない。
水道水源は主に河川にたよっている。そのため、水道水の中には７０種類以上の有害物質が含まれている。河川には、ゴルフ場からは除草剤・殺虫剤が、マトラジン、シマジン、シスー１、３ジグロロプロペン等の環境ホルモンが、農場からは除草剤・殺虫剤・化学肥料、シマジン、ペンタクロロフェノール、メチルベンゼン、ダイオキシン、原虫が、工場からはダイオキシン、環境ホルモン、化学物質が、一般家庭からは合成洗剤、大小便排水が、浄水場からは塩素、トリハロメタンが流入する。
塩素は殺人ガスその物であり、ダイオキシン、パラコートトリハロメタンの原料である。アトピー、アレルギー等が急増したのは昭和４０年頃からで、それ以前はほとんどなかった。塩素により免疫細胞がダメージを受け、免疫力が低下したからである。昭和４０年とは、塩素により水道水の殺菌が始まった年である。あらゆる菌類は塩素に出会うとほぼ５秒で死滅してしまう。善玉・悪玉大腸菌も、である。
【０００３】
［水道水に含まれている有害物の一例］
１．塩素
塩素は、全細胞を傷付け、免疫力を低下させる。日本の水道法では水道蛇口で0.1ｍｇ/リットル（ｍｇ/リットルをPPMとも表す）以上の塩素が残留することを義務付けている。しかし、妙なことに上限の定めがない。原水の悪化に伴い投入塩素料は無制限に増加しているのである。米国、ドイツ、フランスでは、上限を０．５、０．０５、０．１に規制している（微生物によるろ過と地下水利用）。塩素は猛毒物質であり、毒ガス兵器にも使われていた。
２．トリハロメタン
トリハロメタンは、強い発がん性と催奇形性のある毒物であり、遺伝性を損傷する。塩素と下水中の有機物（フミン質・メタン等）が結合したもので、クロロホルム、ブロモジクロロメタン等の４種がある。水道法では飲用可能の上限を１００PPb （０．１PPM ）としているが、それ以下であっても長期飲用すれば体内に蓄積され、危険となる。
（１）トリハロメタン７５PPB 入りの水道水を１日５杯以上飲むと、流産率が１５．７％（５杯未満で９．５％）となるので、妊娠３ケ月までの妊婦は水道水を飲まないか、浄化してから飲むことと、米国カリフォルニア州保健局が呼びかけている（平成１０年に同保健局が５１４４人の妊婦を調査したデータである。）。
（２）体重６０kgの人が体内に１８０ｍｇのトリハロメタンを蓄積すると、発がんの危険が生ずる。ちなみに、その量は、水道水を毎日２リットル飲むと約２年半で到達する量である。
（３）トリハロメタンは、免疫力低下による、アレルギー、がん、諸慢性病を引起こすだけでなく、うつ症状、幻覚、運動失調、発声障害、吐き気等の神経症状も引起こす。トリハロメタンは、水道水を沸騰させると増加する（４０分以上沸騰させればＯＫ）。
３．クリプトスポリジウム
クリプトスポリジウムは、塩素でも死なない単細胞の寄生原虫である。１９９３年、米国ミシガン州のミルキーウォーキー市で人口１６０万人中４０万人が水道水の中のクリプトスポリジウムによりひどい集団下痢となった。そして、４万人が重症で入院し４００人死亡した。日本でも数カ所で発生しており、特に平成８年埼玉県越生町で発生したクリプトスポリジウムの集団感染は有名である（人口１４０００人のうち、８８００人が発病）。この原虫は水道水から小腸に入り、１日数十回も水様便を繰返す激しい下痢を起こす。  ４．環境ホルモン（内分泌撹乱物質）
農薬、合成樹脂等が変化して発生する化学物質の中には、人体内に入ってホルモンに似た働きをして正常な内分泌を乱すものがあり、それを環境ホルモンと呼ぶが、環境ホルモンは人間の生殖と代謝を根本から阻害する。特に、ごみの不完全燃焼で生ずるダイオキシンは有名である。
【発明の開示】
【発明が解決しようとする課題】
【０００４】
［従来の浄水カートリッジ］
従来の浄水カートリッジには、次のようなものが知られている。
（１）中空糸膜カートリッジ
中が空洞のストロー状のフィルターで浄水するものであるが、分子の大きい有機物、濁り、カビ等は除去するが、塩素、臭い、雑菌、トリハロメタン等はほとんど除去できない。価格はとても安いが能力は低い（大メーカーの製品はほとんどこれ）。中空糸膜カートリッジは有害細菌を除去できないので、殺菌のために人体に有害な銀を材料に入れている。
（２）粒状活性炭カートリッジ
活性炭は木炭の一種で、表面に小さい孔を多く持っており、そこに水中のあらゆる有害物を吸着する。臭いは分解さえもしてしまう。また、樹木が持っていたミネラルを放出し、一定の還元力も持っている。有益ミネラル以外のあらゆる物質を吸着するが目があらいのですぐに水の道ができてしまい、捕捉されるべき物質を逃すものもかなりある。普通の浄水器、活水器、整水器の浄水カートリッジは、ほとんどこれを採用している。しかし、塩素の除去は不十分なので、少し価格の高いものには必ず亜硫酸カルシウムを入れて塩素反応を消している。また、このカートリッジでは細菌を除去できないので、（１）と同様に銀を添加している。銀添活性炭とか、抗菌活性炭とか表示したものがそれであるが、最近はその表示さえしていないものが多い。
（３）圧縮活性炭カートリッジ
非常に細かく粉砕した活性炭を圧縮成形させたもの（本明細書ではこれを圧縮活性炭という。）で、一般活性炭の数倍〜数十倍の能力を持ち、あらゆる有害物を吸着する。圧縮活性炭内部には無数の微細孔が形成され、その表面積は１００万ｍ2 （東京ドームの２２倍位）にもなるので、０．３〜０．５μ以上の粒子を効率よく除去できる。ただし、ごみや泥によって目づまりしやすいので、プレフィルターとの併用が望ましい（高価格、高性能）。現在、塩素、トリハロメタン、細菌等をほぼ完全に除去できる浄水カートリッジは圧縮活性炭以外にない。
【０００５】
上記中空糸膜方式と粒状活性炭方式及び上記２方式を併用したものは、いずれも塩素を完全に除去できないので、亜硫酸カルシウムを大量にカートリッジに詰めて、塩素の発色を止めている。しかし、ＦＤＡ（米国食品医薬品局）は、呼吸困難、じんましん、胃腸障害、アレルギーを引起こすとして、その使用を制限している。
【０００６】
また、前記２種は細菌を完全に吸着できないので、銀を混入させ殺菌している。銀は塩素以上の猛毒である。市場にでている製品は銀添とか抗菌と表示してあるか、何も表示していない。
【０００７】
上記浄水カートリッジを用いる浄水器のほかに、浄水器、活水器と呼ばれるものに次のようなものがある。
（１）磁気活水器（水道管ハサミ付き型）
これは、水道管の囲りに永久磁石をくっつけただけのもので、製造原価は全ての浄水器の中で特別に一番安い。浄水機能は全くないので、泥、藻、サビ、塩素、トリハロメタン、ダイオキシン、細菌、原虫等の有害物を一切除去できない。これは検査すればすぐに分かる。酸化還元電位（ＯＲＰ）は、水道水と全く変らない。ただし、磁気不足を補い、波動を高める効果は少しある。磁石による微弱電流が一時的にクラスターを小さくするので、家の水道の元栓近くに付ければ、水道管の赤サビや水垢を流し去るには効果があるといえる。現在ロシア、アメリカでは浄水器としては扱われていない。なお、強すぎる磁石を用いたものは、水の情報能力を破壊するので使わない方がよい。
（２）磁気付浄水器
（１）とは異なり、浄水器の中に磁石を組込んだタイプのものであるが、適度な強さの磁石であれば、それなりの効果が得られる。
（３）逆浸透膜浄水器
これは、純水を作る器具であり、カルシウム等の有益ミネラルも全て除去してしまうので、味も栄養も効果も何もない水を作る。地震や洪水の際、ドロドロに汚れた水を何時間もかけて飲料水にするには良いが、通常使用する水を作るには全く不要であり、無用の長物といえる。
（４）カートリッジ交換不要浄水器
時折、５０年間カートリッジ交換不要を謳う浄水器等を見かけるが、これは月に一度水（湯）を逆に流して、フィルター内に溜った有害物を洗い流して使い続けるというものである。しかし、この方式で流し去れるものはほんの５％位の物質であり、ＮＳＦ（National Sanitation Foundation International）でも５種の有害物に対してしか除去を認定していない。カートリッジを交換しなくても目づまりが起こらないということは、目が粗いからであり、細かいものを除去しないということである。
（５）その他，パイウォーター、自然回帰水、ソセイ水生成器等と呼ばれるいろいろなものがあるが、浄水、活水能力に一長一短がある。もちろん整水能力（還元力を付加する能力）は全くない。なお、各社の還元水・アルカリイオン水生成器の性能にも大きくバラツキがある。
【０００８】
従来、活水、浄水、整水の３機能を有する浄水器は存在しない。本発明の第１の課題は、活性化能力と浄水能力が格段に向上された浄水カートリッジを提供することにある。
本発明の第２の課題は、上記カートリッジを用いて活水、浄水、整水の３機能を有する水処理装置を提供することにある。
【課題を解決するための手段】
【０００９】
上記第１の課題を解決する本発明に係る浄水カートリッジは、水道水取込口と浄水吐出口とを有するハウジング内に、少なくともトルマリン、石英、長石、雲母を配合したものを焼結してなるセラミックスボール（以下、ＭＨＣボールという。）の層と、特殊不織布フィルター層と、圧縮活性炭製吸着ろ過層と、圧縮活性炭製マイクロろ過層とポリエチレンろ過層とをこの順序で前記水道水取込口から取込まれた水道水が通過するように配設し、通過した浄水を前記浄水吐出口から吐出させるようにしたことを特徴としている。
【００１０】
複合高能率セラミックスであるＭＨＣボールは、トルマリン、石英、長石、雲母等を特別な配合で高熱処理して作られている。そして、ＭＨＣボールの主要成分は、ＳｉＯ2、 Ａｌ2Ｏ3、Ｆｅ2Ｏ3、Ｂ2Ｏ3、ＭｇＯ、Ｎａ2Ｏ、ＭｎＯ、ＣａＯ、ＴｉＯ2、ＺｎＯ、Ｋ2Ｏ、Ｌｉ等であり、水分子に比べはるかに質量が大きいので、水分子が衝突すると即時 にクラスターの結合を分断し、高波動を励起する。ＭＨＣボールの働きを整理すると次の通りである。
１．水分子のクラスターを小さくする。
２．水のｐＨを上げアルカリイオン水を作る。
３．水のＯＲＰを１００程度下げる。
４．水の界面活性力を高める。
５．汚泥を分解し汚水を浄化する。
６．赤サビ予防効果がある。
７．水分子の波動を高める。
８．自然の抗菌力、制菌力がある。
【００１１】
上記のようなＭＨＣボール層を用いることにより、水道水（原水）に対して次のような高能率高機能を果たす。
（ａ）有用ミネラルの溶出
ＭＨＣボールからＭｇ、Ｋ、Ｃａ、Ｆｅが溶出するので、水道水が自然湧水のようになる。
（ｂ）マイナスイオン効果
水道水を弱アルカリ性にし、ＯＲＰをさげ、マイナスイオンを増す。
（ｃ）トルマリン（電気石）効果
トルマリンが発生する０．０６ｍＡの電流により、水が活性化する。
（ｄ）高波動化
波動測定器（ＬＦＡ）の測定で免疫力が向上することが確認された。
（ｅ）界面活性効果
水と油を親和させるので、ダイエットや高コレステロール症に良い。
（ｆ）遠赤外線効果
ＭＨＣボールから放射される遠赤外線により水分子、体内酵素を活性化し、血液循環を促進する。
上述のように、ＭＨＣボールは瞬時に水を活性化させるだけでなく、水中に２０〜３０分放置すれば、高レベルで水を浄化、マイナスイオン化・活性化できる力を持っている。従って、活性化されて波動値の高い水は生命場情報を記憶し易くなり、愛飲者の健康・幸福・繁栄の基礎となる。
【００１２】
特殊不織布フィルター層Ｌ２は、５μ以上の赤サビや濁り、水アカなどの粒子をろ過する。圧縮活性炭吸着ろ過層Ｌ３は、水に溶けない有機物やアスベスト、細菌をろ過する。圧縮活性炭マイクロろ過層Ｌ４は、０．２〜０．５μの微細孔を持つマイクロろ過層により、水に溶けた有機・無機化学物質や塩素、鉛、ダイオキシン、環境ホルモン、トリハロメタンなどを吸着ろ過する。ポリエチレンろ過層Ｌ５は、不純物の流出を防ぎ、浄水を効率よく均一化する。
【００１３】
上記浄水カートリッジは、好ましくは、ハウジングの底部に水道水取込口と浄水吐出口を設け、前記ハウジングの内側中央に上方に延びて、上端部が開口し、下端部が前記浄水吐出口に接続された導水管を設け、前記ハウジングの周壁と前記導水管の間に外側から内側に向かってＭＨＣボール層、特殊不織布フィルター層と、圧縮活性炭吸着ろ過層と、圧縮活性炭マイクロろ過層とポリエチレンろ過層とをこの順序で同心円状に配設し、前記ポリエチレンろ過層を前記導水管から若干離間させて、その間に浄水流路を形成してある（請求項２）。
【００１４】
上記第２の課題を解決する本発明に係る水処理装置は、請求項１又は２に記載の浄水カートリッジとこれに接続された整水ユニットからなり、前記整水ユニットはイオン隔壁で仕切られた第１室と第２室のそれぞれに陽電極と陰電極を配設し、両電極を直流電源に接続してなる電解槽を有し、前記電解槽の底部に前記浄水カートリッジの浄水吐出口から吐出される浄水が供給され、前記第１室の上部には酸性水注出口が前記第２室の上部には還元水注出口が設けられていることを特徴としている。
上記構成により、浄水カートリッジにおいて有害物質を除去され、かつ、有用ミネラルを含み、活性化された浄水は、整水ユニットにおいてＯＲＰ調整されて微アルカリ性の還元水が生成され、還元水注出口から注出される。
【発明の効果】
【００１５】
第１発明による浄水カートリッジは、次のような効果を奏する。
本発明に係る浄水カートリッジは、水道水をまずＭＨＣボール層により水のクラスターを小さくし、活性化して、その後のろ過層を通過する際の異物や有害物の分離捕捉を容易にする。従って、従来の中空糸膜や通常活性炭では、塩素さえ８０％程度しか除去できず、ダイオキシンやトリハロメタン、鉛、カビ、臭いなどは殆ど除去できないのに対し、本発明に係る浄水カートリッジは高い浄水能力で多くの有害物を除去する。その浄水能力は、従来品と比較して格段に高い。これは日本よりも数倍厳しい米国の基準を十分満すものである。しかも、有機化合物と違い有用ミネラルは炭素基を持っていないので、本発明に係る浄水カートリッジでは吸着されず通過する。
【００１６】
第２発明による水処理装置は次のような効果を奏する。
１  従来品と比べて浄水能力が優れている。
有害物を除去する能力は、他の浄水器に比べて非常に高い［ＮＳＦ基準］。
２  従来品と比べて活水能力が優れている。
活水効果の大きな複合高能率セラミックスボール（ＭＨＣボール）を採用している。
３  従来品と比べて整水能力が優れている。
浄水カートリッジにおいて活性化され、高度に浄化された浄水が整水ユニットにおいて電気分解されるので、還元力の高いアルカリ性水を作ることができる。
４  安心安全設計のカートリッジである。
人体に悪い亜硫酸カルシウムや銀をカートリッジに使用していないからである。
【発明を実施するための最良の形態】
【００１７】
次に、第１の発明の実施の形態について図面に基づいて説明する。
図１は本発明に係る浄水カートリッジの実施例の縦断面図である。
１は、水に対して錆その他の有害物質を与えない合成樹脂製のハウジングであり、ハウジングの底部の中央外側に水道水取込み口２を、その内側に浄水吐出口３を有している。浄水吐出口３には導水管４の下端部が接続され、その導水管４の上端部はハウジング内の上端部付近で開口されている。ハウジング内の底部から若干情報に隔てた位置に、ドーナツ状の支持板５がその中央の孔において導水管４に固着して取付けられ、その支持板の外周とハウジング１の内壁面との間に水道水流入路６が形成されている。
【００１８】
支持板５には、ハウジング１の内周面と導水管４の間には、ハウジングの内周面から導水管に向く順に、複合高能率セラミックスボールであるＭＨＣボールの層Ｌ１、特殊不織布フィルター層Ｌ２、圧縮活性炭製の吸着ろ過層Ｌ３、圧縮活性炭製のマイクロろ過層Ｌ４、及びポリエチレンマイクロろ過層Ｌ５の五つの層が同心円状に配設されている。
【００１９】
ＭＨＣボールは、トルマリン、石英、長石、雲母も等を特別な配合率で配合し、これを９００℃で高熱処理（焼結）して作られるセラミックスボールであり、直径３ｍｍ程度のほぼ球状に形成されている。ＭＨＣボールの組成及び含有比率（ｗｔ％）の一例を示すと、次の通りである。
ＳｉＯ2   ５３．００    Ａｌ2Ｏ3  ３４．００    Ｆｅ2Ｏ3  ５．８０
Ｂ2Ｏ3      ２．６０    ＭｇＯ      １．７０    Ｎａ2Ｏ   １．４０
ＭｎＯ      ０．４０    ＣａＯ      ０．２４    ＴｉＯ2   ０．２０
ＺｎＯ    ０．１４０    Ｋ2Ｏ       ０．１０    Ｌｉ      ０．０４
Ｍｇ，Ｋ，Ｃａ，Ｆｅなどの有用ミネラルを溶出するので、このＭＨＣボール層Ｌ１を通過した水は、自然湧水のようになる。ＭＨＣボール層Ｌ１は、薄い円筒状に配置された特殊不織布フィルター層Ｌ２とハウジング１の内周面との間に、すなわち、最も外側に円筒状に配置されることにより、水道水流入路６から流入する水道水はこのＭＨＣボール層Ｌ１を上方に向かって通過し、かつ、その途中において特殊不織布フィルター層Ｌ２をハウジングの中心に向かって通過するようになっている。また、水道水取込み口から取り込まれた水道水がこのＭＨＣボール層Ｌ１を通過する際に、ＭＨＣボール層は水分子の波動を励起し、水を活性化するとともに、クラスターを小さくする作用を行う。
【００２０】
特殊不織布フィルター層Ｌ２は、ＭＨＣボール層Ｌ１を通過した５μ以上の水垢、赤錆、濁り等を除去する能力を有する。ＭＨＣボール層Ｌ１を通過した水はクラスターが小さくなっているので、水垢、赤錆、濁りなどは特殊不織布フィルター層Ｌ２に捕捉され易く、かつ、水はこれを通過し易くなっている。圧縮活性炭製の吸着ろ過層Ｌ３は、特殊不織布フィルター層Ｌ２を通過した、水に溶けない有機物やアスベスト、細菌等を吸着して除去することができる。圧縮活性炭製のマイクロろ過層Ｌ４は、０．２〜０．５μの微細孔を有し、圧縮活性炭吸着ろ過層Ｌ３を通過した水に溶けた有機、無機化学物質や塩素、ＰＣＢ類の環境ホルモン、ダイオキシン、トリハロメタン、鉛、塩素耐性微生物ほか、４．５μ以上の微粒子をすべて吸着し、除去することができる。ポリエチレンマイクロろ過層Ｌ５は、導水管４との間に浄水流路７を残して、その外側に配置されている。このポリエチレンマイクロろ過層Ｌ５は、内部に捕捉した不純物や活性炭の微粉末の流出を防止し、浄水を効率よく均一化する作用をする。
【００２１】
各層Ｌ１〜Ｌ５の上側は、ドーナツ状の固定板８により遮閉されて、各層の上端部から直接に導水管４に流入しないようにしてある。こうして、最も外側の層から順次各層Ｌ１〜Ｌ５を通過し、最後の層Ｌ５を通過して浄化され、かつ、ミネラルを添加された浄水は、浄水流路７の上端部まで上昇し、導水管４の中に流下する。
【００２２】
こうして、水道水取込み口２から流入する水道水は、上記五つの層Ｌ１，Ｌ２〜Ｌ５を通過する間に、様々な有害物質が除去されるが、ミネラルは最後まで捕捉されずに通過するので、浄水吐出口３からはミネラルが含まれた浄水が吐出される。
【００２３】
上記浄水カートリッジＡにより水道水から除去される有害物の種類と除去性能を列挙すると、次の通りである。有害物質の記載後にこれを原因とする障害を併記する。
水道水中の有害物除去性能一覧
（１）９９％程度除去できる物質
１  １−２−４トリクロロベンゼン（ダイオキシン類）…肝・腎障害
２  銀化合物…腎・神経障害
３  ２−４−Ｄ（農薬・除草剤）…肝・腎障害
４  ペンタクロロフェニール（農薬・除草剤）…肝・腎障害、ガン
５  ヘプタクロール（農薬・殺虫剤）…肝・腎障害、ガン
６  エンドリン（農薬・殺虫剤）…肝・腎・心臓・神経障害、貧血症、ガン
７  リンデン（農薬・殺虫剤）…肝・腎・心臓・神経障害、貧血症、ガン
８  ２−４−５ＴＰ（農薬・殺虫剤）…肝・腎・心臓・神経障害、貧血症、ガン
９  アスベスト…肺ガン、ガン
１０  プロモジクロロメタン（トリハロメタン）…ガン、神経・筋肉障害
１１  プロモフォルム（トリハロメタン）…ガン、神経・筋肉障害
１２  クロロフォルム（トリハロメタン）…ガン、神経・筋肉障害
１３  クリプトスポリジウム（原生動物）…下痢、発熱、胃腸病
１４  ジアルジア（原生物質）…下痢、発熱、胃腸病
１５  ジアルジアランプリラ（原生物質）…下痢、発熱、胃腸病
１６  総トリパメタン（トリハロメタン）…ガン、筋肉・神経障害
１７  トリクロロベンゼン（ダイオキシン）…肝・腎障害
１８  濁度…消毒阻障害
１９  トリクロロエチレン…ガン
２０  ジプロモクロロエタン（ダイオキシン）…肝・腎・神経障害
２１  １−１−２−２テトラクロロエタン（農薬・除草剤）…神経障害、ガン
２２  鉛…神経・腎・脳障害、糖尿病
２３  プロトゾアン（原生物質）…下痢、アレルギー
（２）９５％〜９９％以上除去できる物質
イ．環境ホルモン類…ガン、遺伝子障害、神経障害
アラクロール（除草剤）、アトラジン（除草剤）、クロルデン（殺虫剤）、クロロピ  クリン（殺虫剤）、ジプロモクロロプロペン、シマジン（除草剤）、ステレン、トクサ  フェン（殺虫剤）、ビニールベンゼン、メトキシロール（殺虫剤）
ロ．ダイオキシン類…遺伝子障害、生殖障害、神経・肝・腎障害、貧血症、ガン、カー  ボフラン、クロロベンゼン、ジクロロベンゼン、ジクロロエタン、ジクロロエチレン、  ジクロロプロパン、ジクロロプロピレン（殺虫剤）、ＥＤＢ、エチレンジブロマイド、  フラダンフェニールエタン、プロロピレンジクロライド、テロラクロロエチレン
ハ．その他の有害化学物質…肝・腎・脳・甲状腺・生殖器障害
トリクロロエタン、ジノゼフ（除草剤）、カーボフラン（殺虫剤）、ヘキサクロロブ  タジエン（殺虫剤）、メチルベンゼン（殺虫剤）、ＤＣＡ、ＤＣＢ、ＰＣＢ、ＰＣＥ
【００２４】
ＮＳＦは、国連、米国環境庁、ＩＳＯ等と協力し、行政、企業、消費者団体から独立して、公衆衛生や環境関係の厳しい規格を定め、認定している、非営利の世界で最も厳正な認証機関である。ＮＳＦでは、１００％であっても、９８〜９９％と表示することを義務付けている（本実施例はＮＳＦ７５品目の基準を満している。）。通常活性炭は半年で５０％以下の能力となるが、上記浄水カートリッジは、当初の性能がいつまでも（１．５倍の期間）変らないので、高信頼性を有する。
【００２５】
本実施例の浄水能力の試験データ例
（１）遊離残留塩素試験
本実施例の浄水カートリッジＡについて、塩素の遊離残留試験を行った結果は表１に示す通りであった。
【表１】
2005313111.tif 000003
（２）鉛除去試験
本実施例の浄水カートリッジＡに、１リットル中に０．０５ｍｇの鉛を含む試験水を１０００リットル通水し、カートリッジから吐出された浄水中に含まれる鉛の総量を測定したところ、４４μｇであった。
０．０５ｍｇ／リットル×１０００リットル＝５０ｍｇ＝５０，０００μｇ
ゆえに除去率は、５０，０００−４４／５０，０００＝９９．９１２％である。
（３）総トリハロメタン試験
本実施例の浄水カートリッジＡに、１リットル中に０．４４５ｍｇのトリハロメタンを含む試験水を１５００リットル通水し、カートリッジから吐出された浄水中に含まれるトリハロメタンの総量を測定したところ、最高０．００６、最小０．００２であった。ゆえに除去率は、０．４４５−０．００４／０．４４５＝９９．１％である。
（４）銀化合物試験
銀、水銀は猛毒であるが、本実施例の浄水カートリッジに、１リットル中に０．２７２ｍｇの銀化合物を含む試験水を１５００リットル通水し、カートリッジから吐出された浄水中に含まれる銀化合物の総量を測定したところ、最高で０．００１６であった。ゆえに除去率は、０．２７２−０．００１６／０．２７２＝９９．４％である。
以上は全て公的な検査機関でのデータである。
【００２６】
以上は、第１発明に係る浄水カートリッジについての説明である。続いて、第２発明である水処理装置、すなわち、上記浄水カートリッジにより浄化された水のＯＲＰを調整する整水機能を付加した水処理装置の実施の形態について、図２に基づいて説明する。図２は、浄水カートリッジＡを外観のみで示し、整水ユニットＢを断面で示している。
【００２７】
この水処理装置は、上記浄水カートリッジＡと電解層を有する整水ユニットＢとからなっている。図２において、９は水道管であり、浄水カートリッジＡの水道水取込み口に接続されている。浄水カートリッジＡの浄水吐出口は、連結管１０により整水ユニットＢに接続され、浄水カートリッジＡで生成された浄水が流入される。整水ユニットＢは、ハウジング１１内がイオン隔膜１２により第１室１３ａ，１と第２室３ｂとに分割されており、第１室内には陽電極１４ａが、第２室には陰電極１４ｂが備えられて、電解層が構成されている。陽電極１４ａと陰電極１４ｂには、図示を省略された直流電源から約１．７Ｖの直流電圧を印加される。そして、第１室１３ａの上部には酸性水注出口１５ａが、第２室１３ｂの上部には還元水注出口１５ｂが設けられている。
【００２８】
上記構成により、水道水は浄水カートリッジＡにおいて上述のように有用ミネラルを添加され、かつ、各種有害物質が除去された後、整水ユニットＢに流入されるが、電解槽における電気分解により、第１室１３ａにおいてはｐＨ５〜７程度に酸化された酸性水が生成されて酸性水注出口１５ａから注出され、第２室１３ｂにおいてはｐＨ７．３５〜７．４５程度の微アルカリ性の還元水が生成されて、還元水注出口１５ｂから注出される。この水処理装置により得られる整水について以下にさらに詳述する。
【００２９】
［電気エネルギーによる水の改善（整水、及び活水）］
流れる水の両側から約１．７Ｖの直流電圧を加えると、水に電流が流れ、電子ｅ−のエネルギーが与えられて、水はたちまち活性化し、本来の力を持った水となる。同時に、＋、−の電極１４ａ，１４ｂの側には、各々特性の異なる水が生成される。
１．水中物質（イオン）の移動
陽極側には、塩素イオン、硫酸イオン、炭酸イオン、硝酸イオン等が集まる。陰極側には、人体に有益なカルシウムイオン、マグネシウムイオン、カリウムイオンと微量のナトリウムイオン等が集まる。
２．水の電気分解［Ｈ２Ｏ→Ｈ＋＋ＯＨ−］
陰極側には、水酸化イオンＯＨ−、陽イオン類、水中水素（溶存水素Ｈ２）が多くなり、ｐＨ値の高いアルカリ性の還元水が生成され、陽極側には、水素イオンＨ＋、陰イオン類、水中酸素（溶存酸素Ｏ２）が多くなって、ｐＨ値の低い弱酸性水が生成される。
３．水の還元力
（１）還元水注出口から得られる還元水の中には水の電気分解による過飽和状態の水素分子（Ｈ２）が存在し、通常の水素分子と比べ、１．５倍の還元力を持つことが実験により証明された。通常の水道水には水素は殆ど含まれていないが、この還元水には水道水の６００〜１０００倍の水素が含まれている。い、この還元水をスーパー還元水という。
（２）陰極側のＨ＋に豊富な電子エネルギーｅ−が作用することにより、白金電極の微小物質結合して安定したＨ（活性水素）が生成される。
（３）水Ｈ２Ｏに電子ｅ−を与えるだけで、Ｈ２Ｏは還元力を持つようになる。
（４）上記（１）（２）（３）により水の抗酸化力・還元力が大きくなり、健康増進、病気回復、美肌への大きな力となる。
【００３０】
［生命場情報転写水について］
私たちの体には、生命を維持するための様々なシステムがある。例えば、消化システム、血液循環システム、神経システム、内分泌システム、免疫システム、自然治癒システム等が挙げられる。そして、これ等のシステム及びシステムに属する細胞、組織、器官等は互いが常に密接に情報を伝達して連絡を取合い、生命維持という大目的達成のために働いている。
【００３１】
１．人体の生命情報伝達の手段
人体の情報伝達の最も根本をなすものが神経システムであることはいうまでもない、内分泌システムがそれを補完していることは現在常識となっている。しかし、これ以外に人体は素晴らしい情報伝達手段を持っていることが分かった。アメリカのハロルド・サクストン・バーというイエール大学医学部教授の４０年間の研究の結果、人体内の細胞、組織、器官は全て固有の波動（波形＋波長＋大きさ）を持ち、事故の状態（生命場）を水を介して他へ伝達していることが分かった。
【００３２】
全ての原子、分子、細胞、組織、器官は微弱な電磁気を帯びており、人体内を循環する水も微弱な電磁気を帯びている。故に細胞、組織、器官の実情を表す情報は、水に転写されて全身に伝達されるといえる。
【００３３】
本発明の水処理装置より得られるスーパー還元水は、ＭＨＣボール層Ｌ１により大自然の波動を付与され、特殊圧縮活性炭層Ｌ３で浄水されているので、人体内の生命情報を正確に伝達することができる。体内の水とは体液（血液・リンパ液他）のことで、水はある細胞、組織、器官の情報を持って全身を巡り、他へ伝達している。
【００３４】
２．なぜ水は情報を伝達できるのか。
それは、水の分子Ｈ2Ｏ が小さな棒磁石だからである。そして、あらゆる細胞・組織・器官が独自の微弱な電磁場を持つ磁気ヘッド（磁気センサー）であるからである。
全ての細胞・組織・器官は各々特有の磁気波動｛生体磁場（生命場）｝を持っている。全ての物質は原子・分子の組合わせからできており、それは細胞・組織・器官も同じである。物質を構成する最小単位は原子で、その構造は原子核を中心に電子がものすごい早さで自転しながら軌道を回っている。これにより各原子・分子は独特の電磁波を発している。だから、原子・分子の複雑な組合わせである各細胞・組織・器官が特有の磁気波動（生体磁気）を発することは、当然のことといえる。
【００３５】
ある細胞・組織・器官の発する生体磁気は、その細胞・組織・器官の機能が正常であるか不正常であるかを示す指標となると同時に、近くを流れる水（リンパ液・血液）の磁気に一定の変化を与え（情報転写）他の細胞・組織・器官へ情報として伝達する。各細胞・組織・器官等が発する微弱な磁気を生体磁気と呼び、その影響するエリアを生体磁場＝生命場（ライフフィールド）という。
【００３６】
［生命場情報転写水による自然治癒力強化法］
活性化した本来の力のある水に人間の生命場情報を転写した水を生命場情報転写水（生命情報水＝ライフ・フィールド・ウォータ）といい、次の方法により慢性病克服に必要な自然治癒力強化に大いに役立てることができる。
（１）スーパー還元水にある人（患者）の全身の情報（病気・健康）を転写し生命情報水を作る。
情報源Ｐに当たるものは、口から入り全身を巡って配設される水＝尿、患者の手、血余ともいわれる髪の毛が最適といえる。転写時間は、物によって異なるが数分である（尿を用いれば、尿を飲まずに尿療法ができる。）。
【００３７】
（２）毎日、生命場情報転写水１ｍｌを１リットルの水に薄めて飲む（１０００倍希釈）。
生命場情報転写水には、脳、皮膚、内臓等の生命情報が転写記録されているので、それを飲むと、のどがその情報を感知して、脳に伝え、脳は不十分な活動をする細胞・組織・器官へその補完を命ずるのである。すると、あらゆる生命活動が正常化する。使用する水はスーパー還元水が最適である。
【００３８】
［生命場情報転写水の入手法］
（１）スーパー還元水を飲むだけでも体内情報の伝達がスムースになるが、生命場情報転写水を用いて早く結果が出た病気は次のとおりである。アトピー性皮膚炎、肝炎、ガン、糖尿病、リウマチ、前立腺炎、ぜんそく、視力、性力、高血圧、低血圧、水虫、心臓病その他あらゆる病気（治療と併用することが望まれる）。
【００３９】
上記本発明による水処理装置により得られるスーパー還元水がいかに優れているかについて、以下に説明する。
［理想の水といえる６大条件］
第１条件  塩素や他の有害物を含まないこと。
塩素は赤痢、疫痢等の有害細菌を殺すけれども、同時に有用細菌（バクテリア）まで殺してしまう。人体には既知、未知の数百種類の有用バクテリアが存在し、それが代謝を司っているのであるが、有名なものでは善玉大腸菌で、大腸菌は消化吸収を促進し、人体にとって無くてはならないものである。塩素を体内に入れれば、すぐに殺されてしまう（人間の細胞はバクテリアと同じであるから、徐々に殺されて行く。）免疫細胞が第一番に殺されて、免疫力が低下し、病気にかかりやすくなってしまう。塩素入水道水に金魚を入れて見れば、その危険性がすぐ分かる。塩素入りの水道水を飲み続ければ、人間の生命力は、日に日に減衰していく。
【００４０】
既述したように、水道水の中には、塩素だけではなく、塩素化合物であるトリハロメタンが大量に含まれている。水道水の中のトリハロメタンを飲み続けると、飲まない人に比べ発がん率が男子３．６６倍、女子２．２３倍となる。また、除草剤も多く含まれており、特にパラコートは有名である。この他、殺虫剤、向上からの排出化学物質、家庭排水、大小便の下水等、挙げればきりがない程の汚染物質を水道水は含んでいる。
【００４１】
濁り、臭み、嫌な味、赤サビも人体によって有害なものが多い。濁りや臭みは単なる汚れからくるだけのものではない。ビルやマンションにおいては、水道本管から引き込んだ元栓の内側は自己管理なのである。まず、地下の受水槽に水道水をいれ、それを屋上の高置水槽に吸い上げ各家庭、各部屋に供給している。しかし、その受水槽と高置水槽の二つの貯水槽の管理が悪く、ひどい場合は、鳩やねずみの死骸が浮いていたり、汚水が流れ込んだりすることもよくある。だから、濁りや臭みや嫌な味が、重大な内容を含んでいることもある。腐敗物質や有害細菌が混入することも多い。
この他、水道水に含まれる代表的な有害物質は記述した通りである。
【００４２】
第２条件  水分子の結合集団が小さいこと。
水分子はＨ2Ｏ の１分子で存在する訳ではなく、常にいくつかの分子が結合し房（房とは分子結合集団、クラスターのこと）になって存在しており、（Ｈ2Ｏ ）ｎと表される。気体の水蒸気ではｎは１となり、固体の氷であればｎは無限大となるが、液体の水ではｎが４から５０にもなる。
【００４３】
クラスターが小さければ水はサラサラとなるだけでなく、細胞や内臓への浸透力が大きく老廃物の排出や栄養分の溶解力も大きいので、新陳代謝が活発となり自然治癒力が大きくなって、健康や肌の美容に大いに役立つ。
【００４４】
水分子結合集団の比較（核磁気共鳴装置による測定）
（１）下水の水            ２０〜５０個
（２）一般水道水          １２〜３０個
（３）水道水の浄水        １１〜１３個
（４）ミネラルウォーター    ８〜１０個
（５）長寿村の水              ７〜９個
（６）スーパー還元水          ４〜８個
【００４５】
火山地帯のマグマのエネルギーの刺激を受けて地下から湧き出した水は、５〜６個のクラスターを形成しているが、汚染された水は１２〜５０もの大きなクラスターとなっているのである。クラスターの小さな水は全身の細胞にすぐ入り、内臓の働きを活発にして体調を向上させ、肌に瑞々しさを与える。クラスターの小さな水は、食材の栄養素と味をよく引き出したり食材に付着した農薬や酸化物を洗い流す。
以上のように、スーパー還元水は、もＨＣボール層と電気エネルギーによりクラスターが小さな水になっており、生命を活かす本来の水であると言うことができる。
【００４６】
第３条件  アルカリ性を示すこと。
１．スーパー還元水は、酸・アルカリ試薬でテストをすると明確にアルカリ性を示す。
人間の血液・体液のｐＨは７．３５〜７．４５（微アルカリ性）が正常であるが、生命活動（新陳代謝）により体内に作られる老廃物によって、常に酸化されつつある。また、現代は食品添加物や様々な化学物質、酸性雨等によって飲料水が汚染されているので、体液は大きく酸化傾向を持ってしまっている。人間の体液が微アルカリ性を示すとき、体は最も正常な働きをするのであるから、飲料水をアルカリ性のものにすることが、健康を維持する上で最も大事なことといえる。
２．血液がｐＨ７．０以下になると人間は死にそうになる。
血液が酸性（ｐＨ６．８以下）になると人間は死んでしまうので、血液をアルカリ性を保つために人体は大きなエネルギーを費やしている。例えば、疲労により血液が酸性になると、すぐに骨の中のカルシウムを血液中に放出して血液をアルカリ性に保つ。骨粗鬆症が生ずるのはそれが大きな原因なのである。このような理由で、人間の体中にある体液は、疲労により酸性（例えばｐＨ５）になるけれども、血液はｐＨ７．２以下になることはない。
３．ｐＨに関する知識
（１）血液のｐＨは７．２以下になることはないが、体液のｐＨは疲労等によって７．０以下になる。
（２）唾液（つばき）のｐＨは６．３〜６．８、胃液は１．５〜２．０、膵液は８．５、腸液は８．３が正常である。
（３）尿のｐＨは５〜７の弱酸性で、肉食や多食をするとｐＨ５以下となり、野菜を多食するとアルカリ性となり、ｐＨは７．２〜７．６となる。
【００４７】
４．ｐＨが一定（７．３５〜７．４５）に保たれるわけ
人間の体は、呼吸・運動により常に酸性側に傾く傾向にあるわけであるが、その理由は、
（１）全身の新陳代謝により炭酸ガスＣＯ2 が産生される。このＣＯ2 は血中でＣＯ2 ＋Ｈ2 Ｏ＝Ｈ+ ＋ＨＣＯ3 - の反応によって弱酸として作用する。
（２）筋肉運動を行うと、ＣＯ2 以外の老廃物（乳酸、ピルビン酸等の有機酸）が増量し、酸性度を高める。
（３）ＣＯ2 を呼吸により排出し、他の有機酸を抗酸化酵素により分解すれば、ｐＨは健康状態に保たれる。
５．年をとると体液のｐＨは正常値を保てなくなる理由と対策の一例。
（１）体内の抗酸化酵素が少なくなる。
抗酸化酵素が少なくなれば、体が酸化するのは当然である。だから、酵素活性を増大させるために玄米酵素やビタミン類を補給することが大切といえる。
（２）代謝能力が低下して老廃物の分解が進まなくなる。
体内オキザロ酢酸が減少するので、クエン酸サイクル（ＴＣＡ）が低下してしまう。すると老廃物により体が酸化する。クエン酸（ＳＶ）を飲むことによりこれが改善される。（３）腸の吸収能力が低下し、カルシウムやビタミン類の吸収が減少するので、体が酸性化する。陽明茶により便秘を解消し玄米酵素により消化吸収を促進すること、そして、カルシウムやビタミンを補給することが大切である。
（４）肺の細胞膜硬化により肺のＣＯ2 排出能力が低下する。
ＣＯ2 が体内に残留すれば当然体は酸化するのだから、ビタミンＡ，Ｃ，Ｅ（ＶＡ，ＶＣ，ＶＥ）を十分に食べ、細胞膜を最良の状態に保持することが重要といえる。タバコは肺のＣＯ2 排出能力を低下させるので、吸わない方がよい。
（５）腎臓の能力低下により各種の酸性物質が体内に残留する。湧泉を用いた足底通電、腎臓への超短波透射、気圧矯体法、適度な運動が大切である。
（６）自律神経失調、内分泌系失調により血液のｐＨ緩衝作用が低下する。
脊椎調整、経絡調整、心身のリラックスが勿論大切であるが、ｐＨ緩衝作用を回復させるには、電位治療、負電荷治療が適している。
【００４８】
第４条件  酸化還元電位が低いこと。
１．水の酸化還元電位・ＯＲＰ
ある物質が他の物質を酸化あるいは還元する電気エネルギーのレベルを酸化還元電位（ＯＲＰ）といい、ミリボルト（ｍＶ）で表わされる。酸素Ｏ2 のＯＲＰは＋８２０ｍＶで強い酸化力を持っており、水素Ｈ2 のＯＲＰは−４２０ｍＶで強い還元力を持っている。水の分子式はＨ2 Ｏであるから、通常の水のＯＲＰは＋８２０〜−４２０の間にあるといえる。人体にとって最も有用なＯＲＰは−１００〜−２５０ｍＶといわれているが、スーパー還元水の中には豊富な水素（Ｈ、Ｈ2 ）が含まれているので、その値を簡単に実現している。なお、還元を助ける酵素のＯＲＰは−３２０ｍＶであるので、酵素をどんどん補うことも大切である。
２．酸化と還元
私達は生きる上で呼吸により酸素を吸って、食物中の栄養素を燃焼させて体温や内臓を動かしたり運動したりするエネルギーを得ている。これは酸素を利用するので酸化ともいう。酸化されたものを放っておくと血管が硬化したり、つまったり、シミができたり、疲れたり、病気になったりするので、人体は酸化を元に戻す還元作用を持っている。若いうちはこの還元作用が大きいので、酸化した体はすぐに元に戻るが、３５歳を過ぎると還元作用が小さくなり、酸化と老化がどんどん進んでしまう。
３．スーパー還元水
呼吸、運動、緊張、ストレスにより酸化がどんどん進み、慢性病・生活習慣病が生じてしまうが、水素を多く含み、酸化還元電位の低いスーパー還元水を常用すれば、その害を簡単に防止することができる。
４．消化管内の微生物の分布とＯＲＰ
イ．人間の消化吸収にとってＯＲＰが−５０〜−２５０ｍＶが良い。ＯＲＰが高いと腸内  は異常な醗酵をすることが知られている。
ロ．ＯＲＰの低い水は還元力の大きな水なので、食物中に有害物が含まれていても、その  害を減らすことができるのである。
ハ．若い時、特に成長期（男２５歳、女１９歳未満）は体の還元力が大きいのでＯＲＰの  高い水を飲んでいても比較的大丈夫なのであるが、３５歳を過ぎると体の還元力が減少するので、還元水を飲む必要がある。
少年のうちはＯＲＰが５００ｍＶの水を飲んでも、体内の水を還元力のある水にすることができるが、年をとるにつれてその力がなくなる。３５歳位まではＯＲＰ２００ｍＶの水でも体内で還元力のある水になるが、３５歳以降はＯＲＰ０ｍＶ以下の水を飲むことが良い。できれば、−１００〜−２５０ｍＶの水を常飲することが好ましいのである。
ＯＲＰは低ければ低いほど良いのか、というとそうではない。電子治療は体にとって本当に良い効果を表わすが、強すぎる電流・電圧をかければ人間そのものが死んでしまう。これと同様にＯＲＰも−４００ｍＶとか−７００ｍＶの低すぎる電位のものを常飲することは、人体に悪影響を与えると知らねばならない。ＯＲＰの低い水は電子をたくさん持つので、生体電流に充電する力をもつ。
【００４９】
第５条件  イキイキと活性的な水。
１．イキイキと活性的な水とは
古来日本人が飲んできた水は地下数十〜数百メートルにある石英、長石、雲母等のセラミックを経由し活発に振動する（高波動の）活性的な水であった。しかし、現在私達が水道水として飲んでいる水は、地表を流れ、多種類の化学物質によって汚染されているので、水の波動が低下し、不活性の水となっている。
本発明の水処理装置は、各種の有用自然石を焼き固めたＭＨＣボールと特殊圧縮活性炭による活水システムを内蔵しているので、水道水をイキイキと活性的な自然水に変身させる。
ＭＨＣから出る高波動と微弱電流と遠赤外線が水分子を共振・励起させ、瞬時に高い振動エネルギーを与えて、クラスターを形成するチェーンを切断し、クラスターが小さく水分子の動きが活発な自然水（活性水）を作る。
ＭＨＣボールによって小さくなったクラスター（水分子１〜２個）は数秒で４〜６個のクラスターに再結合する。この作用により、クラスター内に抱え込まれていた有毒ガス類（ＳＯ2 、ＣＯ2 、ＣｌＯ他）や硫酸、塩酸、水銀、鉛、トリハロメタン、ダイオキシン等数十種の有害物質が解放され、浄水効率を高めてくれる。ビンに水とＭＨＣボールを入れて振ると、すぐに塩素反応が低下し、弱アルカリ化して、ＯＲＰも１００程度低下する。イキイキと活性的な水は、クラスターが小さいままでいるので、細胞に浸透しやすいことはいうまでもなく、情報伝達能力や転写能力も高いので、自然治癒力の向上に大いに役立つ。ＯＲＰが低く、アルカリ性であるとともに、イキイキと活性的な水を飲み続ければ、７０％異常が水でできている人間の身体が、いつまでも若々しく活性的であろうことは多言を要しない。
【００５０】
第６条件  まろやかで美味しい水。
いくら体に良い水であっても、美味しくなければ毎日の煮炊きに使ったりたくさん飲んだりできない。本発明の水処理装置が作るスーパー還元水は「本当にまろやかで美味しい水」なのである。
スーパー還元水はなぜ美味しいのか。
１．汚れ・濁り、臭みを９９％以上浄化している。
２．塩素、トリハロメタン、化学物質、重金属等の有害物質を９９％浄化している。
３．カルシウム、マグネシウム、カリウム等有益ミネラルを３０％程度増量している。  ４．クラスターが小さい。従って体にすぐ浸透するのでうまい。
５．アルカリ性を示している。
６．酸化還元電位がマイナスを示している。
７．波動値の高い活性水である。
汚れや有害物を含まず、有益ミネラルを多く含み、アルカリ性でＯＲＰが低く、クラスターの小さな活性水。体はそれをすぐに感ずるから、美味しいと分る。
【００５１】
スーパー還元水とは
１．水道水を高能率セラミックスにより地下深部を通る自然水のように活水し、塩素を初めとする多くの有害物を最高レベルに浄水し、電気エネルギーでアルカリ性と還元力を持つよう整水した水をスーパー還元水と言う。
活水＋浄水＋整水の三つの要素により作られる水は、本願の第２発明の水処理装置が作るスーパー還元水は日本（世界）で初めてのものである。
２．大気汚染と酸性雨・工場排水、家庭排水、農薬等がたくさん混入した川の水を、私達はゴミをとり塩素で殺菌しただけで、毎日水道水として飲んでいる。
水道水には２つの重大な問題点がある。一つは多くの有害物を含んでいること、もう一つは地下水のように活性化していないということができる。
スーパー還元水は、地下深部から湧き出る昔の自然水のように、イキイキと活性化された、有害物を含まない水なのである。
３．人体内には呼吸と運動により毎秒多くの酸化物質（老廃物）が生じる。
若いうちはそれを分解・無害化する還元力を体が持っているので、シミ、血栓もできず慢性病にもかかりにくいのですが、年をとると人体の還元力が弱くなり慢性病にかかり易くなってしまう。スーパー還元水は、人体が行うのと同じ方法で、電気の力により還元力を与えて作られた水なのである。
【図面の簡単な説明】
【００５２】
【図１】本発明に係る浄水カードリッジの縦断面図。
【図２】本発明に係る水処理装置の構成図。
【符号の説明】
【００５３】
Ａ  浄水カートリッジ
１  ハウジング
２  水道水取込み口
３  浄水吐出口
４  導水管
７  浄水流路
Ｌ１  ＭＨＣボール層
Ｌ２  特殊不織布フィルター層
Ｌ３  圧縮活性炭吸着ろ過層
Ｌ４  圧縮活性炭マイクロろ過層
Ｌ５  ポリエチレンマイクロろ過層
Ｂ    整水ユニット
１１  ハウジング
１２  イオン隔膜
１３ａ  第１室
１３ｂ  第２室
１４ａ  陽極
１４ｂ  陰極
１５    酸性水注出口
１５    還元水注出口
【図１】
2005313111.tif 000004
【図２】
2005313111.tif 000005